(57)【特許請求の範囲】
【請求項１】
遊技盤面上の入球装置に入球した遊技球を球保持部で保持し、該球保持部を移動させることにより、前記球保持部に保持されていた遊技球を特定領域又は非特定領域に誘導する振り分け手段を備え、
前記遊技球が特定領域に誘導されると遊技者に有利な遊技状態にするパチンコ機において、
一対の通電部材を並置して構成され、前記振り分け手段により前記特定領域に誘導された遊技球を停留させ、ソレノイドによって移動させられると該遊技球の停留を解除する球受板を備え、
前記球受板上に停留した遊技球によって電気的回路が閉じられたことに基づいて前記球受板上の遊技球を検出し、
該球受板上の遊技球を検出した後に前記ソレノイドを駆動して前記球受板を移動させて前記遊技球の停留を解除する
ことを特徴とするパチンコ機。
【請求項２】
遊技盤面上の入球装置に入球した遊技球を球保持部で保持し、該球保持部を移動させることにより、前記球保持部に保持されていた遊技球を特定領域又は非特定領域に誘導する振り分け手段を備え、
前記遊技球が特定領域に誘導されると遊技者に有利な遊技状態にするパチンコ機において、
前記球保持部の移動経路に沿って２本の通電部材を平行状に設け、
該２本の通電部材に遊技球が接触して電気的回路が閉じられたことに基づいて前記球保持部に保持された遊技球を検出する
ことを特徴とするパチンコ機。
【発明の詳細な説明】
【０００１】
【産業上の利用分野】
本発明はパチンコ機に関し、詳しくは入球した遊技球を振り分ける振り分け装置を有するパチンコ機に関する。
【０００２】
【従来の技術】
従来、振り分け装置を使用するパチンコ機のタイプとして、所謂「権利物」と呼ばれるパチンコ機が知られている。
このパチンコ機は、盤面上にある入賞装置に入賞した遊技球がセンサにより検出され、遊技球が検出されると乱数抽出を行い判定結果が表示される。そこで所定の乱数を抽出したならば振り分け手段にて特定領域に振り分けられ、特定領域を通過すると権利が発生する。権利が発生し、第三種始動口に遊技球が入賞すると大入賞口が開放する。第三種始動口に所定個数入賞すると権利が終了となる。
上記のように振り分け手段を有する入賞装置は、例えば始動入賞口、可変表示器、アタッカーと呼ばれる大入賞口等と関連付けて遊技盤上に配設される。
【０００３】
ところで、近年のパチンコ機は、不測の停電が発生しても停電発生前の遊技状態を記憶する記憶保持手段を備え、停電復旧後は停電発生前の遊技状態から遊技を再会することができる。
【０００４】
【発明が解決しようとする課題】
しかしながら、前述した振り分け手段を有する入賞装置を備えたパチンコ機においては、振り分けられてから特定領域に備えられたセンサに至るまでの間に停電が発生すれば、停電復帰後に前述した権利が発生することはなく遊技者に不測の不利益を与えることにもなりかねない。
この不具合は、乱数抽出により振り分けられるパチンコ機の場合には、所定の乱数を抽出したことを記憶しておくことで対応することが可能である。しかし、所謂クルーンと呼ばれる振り分け手段により遊技球を振り分けるパチンコ機等においては、前記不具合を回避することは不可能である。また、乱数抽出により振り分けるパチンコ機においても、誤作動により所定乱数の抽出が行われたことを報知する表示がなされることも考えられ、ホールの店員とのトラブルにもなりかねない。その場合、その入賞球が発生したことに関して何も証拠になるものがないために、遊技者はホールにその事実を指摘することが出来ず、不利益を生ずることがあった。
ごく稀な事象ではあるが、それだけに有利な遊技状態が消滅してしまった遊技者の落胆は大きかった。
【０００５】
本発明は、遊技者に不測の不利益を与えることなく、且つ遊技店営業の健全性を一層向上させることを目的として為されたものである。
【０００６】
【課題を解決するための手段および発明の効果】
上記目的を達成するために、請求項１のパチンコ機は、
遊技盤面上の入球装置に入球した遊技球を球保持部で保持し、該球保持部を移動させることにより、前記球保持部に保持されていた遊技球を特定領域又は非特定領域に誘導する振り分け手段を備え、
前記遊技球が特定領域に誘導されると遊技者に有利な遊技状態にするパチンコ機において、
一対の通電部材を並置して構成され、前記振り分け手段により前記特定領域に誘導された遊技球を停留させ、ソレノイドによって移動させられると該遊技球の停留を解除する球受板を備え、
前記球受板上に停留した遊技球によって電気的回路が閉じられたことに基づいて前記球受板上の遊技球を検出し、
該球受板上の遊技球を検出した後に前記ソレノイドを駆動して前記球受板を移動させて前記遊技球の停留を解除する
構成を採用している。
【０００７】
特定領域に誘導された遊技球は球受板上に停留させられる。すると、その遊技球が一対の通電部材を並置した構成の球受板間を導通させるので、電気的回路が閉じられる。これに基づいて球受板上の遊技球が検出されてから、つまり特定領域に誘導された遊技球が検出されてから、ソレノイドを駆動して球受板を移動させて遊技球の停留を解除するので、不測の停電、瞬停等による通電の停止時にも遊技球を球受板で停留させておいて、通電復旧後に、その遊技球を検出することができ、遊技者の有利な遊技状態を消滅させることなく公平に遊技を楽しむ効果を得られる。
【０００８】
請求項２のパチンコ機は、
遊技盤面上の入球装置に入球した遊技球を球保持部で保持し、該球保持部を移動させることにより、前記球保持部に保持されていた遊技球を特定領域又は非特定領域に誘導する振り分け手段を備え、  
前記遊技球が特定領域に誘導されると遊技者に有利な遊技状態にするパチンコ機において、
前記球保持部の移動経路に沿って２本の通電部材を平行状に設け、
該２本の通電部材に遊技球が接触して電気的回路が閉じられたことに基づいて前記球保持部に保持された遊技球を検出する
ことを特徴とする。
【０００９】
球保持部の移動経路に沿って２本の通電部材を平行状に設け、それら２本の通電部材に遊技球が接触して電気的回路が閉じられたことに基づいて球保持部に保持された遊技球を検出するので、遊技球を振り分け手段にて誘導中のときも検出可能になり、不測の通電の停止が起きても通電が復旧すれば、誘導途中の地点から遊技球を検出して遊技を再開することができる。
【００１０】
請求項３のパチンコ機は、請求項２記載の振り分け手段により特定領域又は非特定領域に振り分けられ、該特定領域に至った遊技球を停留させ、停留させられた遊技球を検出した後に、前記停留を解除する停留手段を備えたことを特徴とするものである
【００１２】
【実施例】
図１〜図５に基づいて本発明の第１の実施の形態を説明する。なお、本発明の実施の形態は、下記の実施例に何ら限定されるものではなく、本発明の技術的範囲に属する限り種々の形態をとり得ることはいうまでもない。
【００１３】
図１の遊技盤２の図示しない下部には球受皿と球発射用回転式ハンドル等が設けられている。該球発射用回転式ハンドルの駆動により遊技球はガイドレール４を介して遊技盤上に発射される。発射された遊技球が各入賞口５に入賞すれば遊技球は盤面裏面にセーフ球として取り込まれ、入賞しなければアウト口６を介してアウト球として同様に盤面裏面に取り込まれる。
【００１４】
遊技盤２の盤面中央下部には、図２で拡大して示すように入球装置１１が設けられている。本図面に使用したパチンコ機での入球装置１１の使用形態は、可動翼片開放ゲート３に遊技球が通過すると図２に示す可動翼片２２が開位置に移動し、始動ゲート７に通過可能となる。該始動ゲート７に遊技球が通過すると、乱数が取得されその結果を図柄表示装置８に表示する。このとき、大当たり乱数を取得すると入球装置１１で特定領域２６に振り分けられて権利が発生する。特定の乱数を取得できなかった場合は、入球装置１１で非特定領域２７に振り分けられる。権利が発生したならば第三種始動口９に入球させ、大入賞口１０を開放させる。第三種始動口９に所定個数（通常１６個）入賞させると権利は終了する。なお、本発明の入球装置１１の使用形態は、上述の使用形態に限定するものではない。
【００１５】
次に入球装置について詳細に説明する。入球装置１１の上部には左右に開閉可能な可動翼片２２が設置されている。可動翼片２２は、ソレノイド等によって構成される開閉駆動装置により、支軸を回動制御され、開放位置と閉鎖位置とに変換される。
これにより、入球装置１１への球の入球を制御することが出来る。
【００１６】
前記可動翼片２２の下部には、ほぼ円形に形成された作動空隙２３がある。該作動空隙２３には回転駆動可能な回転盤２４が設けられ、回転盤２４にある球保持部２５にて入球した遊技球を保持し、下方左右にある特定領域２６又は非特定領域２７に誘導する。
【００１７】
前記特定領域２６には、図３及び図４に示された特定領域センサ部３２が設けられている。該特定領域センサ部３２のセンサ部３５は、下部に遊技球を一時的に停留するために、ソレノイド４３にて駆動可能な可動球球受板３３を挿入するため可動球受板挿入口３４が設けられている。
【００１８】
これにより、回転盤２４で、特定領域２６に誘導された遊技球は、図５（Ａ）で示すように特定領域センサ部３２の可動球受板３３が通過の妨げとなり一時的に停留される。該特定領域センサ部３２のセンサが遊技球を検知すると、図５（Ｂ）で示すようにソレノイド４３の駆動により、可動球受板３３がパチンコ機内側に移動することにより、遊技球が通過可能となり遊技球の停留が解除される。
【００１９】
本実施形態によれば、検知した後に停留を解除するので、特定領域２６に至った遊技球が検出されるということは有利な遊技状態が発生していることになる。例えば、振り分けられた直後に通電が停止しても、遊技球は検出されていないので可動球受板３３により停留され、通電復旧後に検出されてから停留が解除し、有利な遊技状態が始まるということである。
【００２０】
次に、図６〜図９に基づいて本発明の第２の実施形態を説明する。なお、本実施形態の特定領域センサ部３２は第１の実施形態の効果と同一のもので、相違点を中心に説明する。
【００２１】
他に考えられる手段として、図６で示すように可動球受板に通電部材を使用し、図７で示すように、遊技球停留時に通電可動球受板４６が遊技球と接すると回路が閉じて通電し、遊技球を検知する。なお、図７は、２つの通電可動球受板４６上に遊技球が停留し、遊技球を介して回路を閉じる状態を模式的にあらわしたものである。
遊技球を検知すると、図５に示した第１の実施形態と同様に、通電可動球受板挿入口４７を介して通電可動球受板３７はパチンコ機内側に移動し停留を解除する。というのも考えられる。
【００２２】
上記実施形態ならば、通常時はパチンコ機内に収納することも可能なので、配設する場所を選ばず、多種多様な使用形態が可能になる。
【００２３】
また、図８、図９に示すように可動球受板３３の形状を蓋体に設け、図５に示した第１の実施形態と同様に、遊技球を検知すると可動球受板挿入口３４を介して可動球受板３３はパチンコ機内に移動し停留を解除する。というのも考えられる。
【００２４】
上記実施形態ならば、蓋体の形状に合わせて、停留を解除した時に遊技球の落下方向を誘導することが可能となる。
【００２５】
本実施例によれば、場所、使用用途に応じて通電可動球受板３７、様々な形状の可動球受板３３を使用することで、パチンコ機の遊技の幅が広がる効果もある。本発明が通電停止対策のみに留まらず、遊技の興趣を向上することも示している。
【００２６】
次に、図１０〜図１４を中心に本発明の第３の実施形態を説明する。
図１０は作動空隙２３に２つの通電部材を配設した入球装置を示しており、作動空隙２３には回転盤２４が配設される。該回転盤２４は、回転駆動を可能とするためにモータ４１のモータ回転軸４４を回転軸４２に設けたモータ回転軸挿入口４５に挿入し、該回転軸４２を回転盤２４に挿入することにより、モータ４１の回転駆動力が回転盤２４に伝わり回転駆動が可能となる。該回転盤２４には球保持部２５が設けられており、入球した遊技球を保持し、回転盤２４の回動動作に合わせ特定領域２６又は非特定領域２７に誘導、振り分けることができる。
【００２７】
前記回転盤２４の周面１箇所には、遊技球を保持するために球１個分の凹部からなる球保持部２５が設けられており、該球保持部２５の移動領域に合わせて図１１、図１２で示すように通電部材４６を作動空隙２３に垂直、平行２箇所設置している。図７の模式図と同様に、垂直に配設された通電部材４６ｂと平行に配設された通電部材４６ａが遊技球と接すると回路が閉じた状態となり通電し、遊技球を検知する。なお、導体には銅板等が考えられるが通電するものなら何ら問題なく、限定しない。
【００２８】
また、図１３、図１４に示す回転盤２４にセンサ３１を設けた入球装置１１も考えられる。この場合、センサ３１の大きさによっては取付基板２１にセンサ挿通口５０を設け回動可能にする。
これにより前記図１１、図１２に示した通電部材で検出する手段と同等に遊技球を誘導中でも確実に検知し続けることが可能となる。なお、回転盤２４の領域で使用されるセンサ３１は、このタイプに限定するものではなく、回転盤２４により遊技球が誘導されている時でも、遊技球を検知することが可能ならば何ら問題はない。
【００２９】
本実施例によれば、球保持部２５に入球した球が回転盤２４の回動により移動していても常に遊技球と接しており、検知する事が可能になる。例えば、回転盤２４で誘導中に通電が停止しても、通電復旧後にその地点から遊技球を検出して通電停止以前と変わらない状態で遊技を再開することができ、通電の停止による遊技者の不利益を生じさせないことができる。
【００３１】
また上述の各実施例にあっては、単一の特定領域と非特定領域とを形成するようにしたものであるが、複数の特定領域および非特定領域を任意の場所に設けてもよい。これにより遊戯の幅を持たせることも可能になる。
【図面の簡単な説明】
【図１】本発明のパチンコ機１の正面図である。
【図２】入球装置の正面図である。
【図３】特定領域センサ部斜視図である。
【図４】センサ部と可動球受板の斜視図である。
【図５】（Ａ）遊技球を一時停留した状態の特定領域センサ部の側面図である。（Ｂ）遊技球を停留解除した状態の特定領域センサ部の側面図である。
【図６】可動球受板に通電部材を使用した特定領域センサ部の斜視図である。
【図７】通電を示す模式図である。
【図８】蓋体の可動球受板を使用した特定領域センサ部の斜視図である。
【図９】（Ａ）遊技球を側方に誘導する可動球受板の斜視図である。（Ｂ）遊技球を前方に誘導する可動球受板の斜視図である。
【図１０】通電部材を使用した検出手段を設けた入球装置の正面図である。
【図１１】通電部材を使用した検出手段を設けた入球装置の側面図である。
【図１２】（Ａ）通電部材を設けた取付基板の斜視図である。（Ｂ）通電部材を設けた取付基板の側面断面図である。
【図１３】回転盤にセンサを設けた入球装置の正面図である。
【図１４】回転盤にセンサを設けた入球装置の側面図である。
【符号の説明】
２・・遊技盤、３・・可動翼片開放ゲート、４・・ガイドレール、５・・入賞口、６・・アウト口、７・・始動ゲート、８・・図柄表示装置、９・・第三種始動口、１０・・大入賞口、１１・・入球装置、２１・・取付基板、２２・・可動翼片、２３・・作動空隙、２４・・回転盤、２５・・球保持部、２６・・特定領域、２７・・非特定領域、２８・・センサ通過口、３１・・センサ、３２・・特定領域センサ部、３３・・稼動球受板、３４・・可動球受板挿入口、３５・・センサ部、３６・・受皿形式可動球受板、３７・・通電可動球受板、４１・・モータ、４２・・回転軸、４３・・ソレノイド（電気的駆動源）、４４・・モータ回転軸、４５・・モータ回転軸挿入口、４６・・通電部材、４７・・通電可動球受板挿入口、５０・・センサ挿通口、５１・・回転軸通過口、５２・・回転軸挿入口、５３・・特定領域口、５４・・非特定領域口。
【図１】
0003688223.tif 000002
【図２】
0003688223.tif 000003
【図３】
0003688223.tif 000004
【図４】
0003688223.tif 000005
【図５】
0003688223.tif 000006
【図６】
0003688223.tif 000007
【図７】
0003688223.tif 000008
【図８】
0003688223.tif 000009
【図９】
0003688223.tif 000010
【図１０】
0003688223.tif 000011
【図１１】
0003688223.tif 000012
【図１２】
0003688223.tif 000013
【図１３】
0003688223.tif 000014
【図１４】
0003688223.tif 000015